(57)【要約】【課題】風路体が保持部の位置で本体部から外れた状態での吸込口体部側の落下速度を抑制できる電気掃除機を提供する。【解決手段】電気掃除機11は、電動送風機25を備えた本体部12を有する。電気掃除機11は、風路体13を有する。風路体13は、収縮方向に付勢され、電動送風機25の吸込側と連通するように本体部12に下流端側が接続された伸縮自在のホース体82を備える。風路体13は、ホース体82の上流端側に連通された吸込口体部83を備える。電気掃除機11は、風路体13の下流端側と異なる位置に設けられ、本体部12に対して後端側が着脱可能な保持部14を有する。【選択図】図１
2015051169.tif 000002
【特許請求の範囲】
【請求項１】
電動送風機を備えた本体部と、
収縮方向に付勢され、前記電動送風機の吸込側と連通するように前記本体部に一端側が接続された伸縮自在のホース体、および、このホース体の他端側に連通された吸込口体部を備えた風路体と、
この風路体の一端側と異なる位置に設けられ、前記本体部に対して一端側が着脱可能な保持部と
を具備したことを特徴とした電気掃除機。
【請求項２】
保持部は、風路体のホース体の他端側を本体部に対して着脱可能とする
ことを特徴とした請求項１記載の電気掃除機。
【請求項３】
保持部は、ホース体の一端側よりも上方の位置で本体部に対して着脱可能であり、
風路体は、軸方向が湾曲して形成され、前記ホース体の一端側に連通して前記本体部に回動可能に軸支された湾曲体を備えた
ことを特徴とした請求項１または２記載の電気掃除機。
【発明の詳細な説明】
【技術分野】
【０００１】
本発明の実施形態は、風路体を本体部に対して着脱可能とする保持部を備えた電気掃除機に関する。
【背景技術】
【０００２】
従来、スティック型(アップライト型)と呼ばれる縦型の電気掃除機は、電動送風機および集塵部などを備えた本体部と、この本体部に接続された風路体とを備えている。この風路体は、本体部に対して下流端が着脱可能な長尺の延長管と、この延長管の上流端に着脱される吸込口体としての床ブラシとを有している。そして、本体部には、把持用のハンドルが突設されており、このハンドルを把持して、本体部とともに、この本体部に延長管を介して接続された床ブラシを被掃除面上で前後に走行させながら、電動送風機の駆動により生じた負圧によって塵埃を風路体から集塵部に吸い込んで掃除をする。
【０００３】
このような電気掃除機において、例えば天井や家具の上部、あるいは壁部に設置されたエアコンなどの、使用者に対して相対的に高い位置を掃除する際には、ハンドルによって電気掃除機全体を持ち上げて延長管の上流端などから塵埃を吸い込む。このとき、使用者が誤って延長管(風路体)を本体部に対して確実に接続していない場合に延長管(風路体)が外れて落下しない、またはその落下速度を抑制することが望まれる。
【先行技術文献】
【特許文献】
【０００４】
【特許文献１】特開２０１０−２６８９６０号公報
【発明の概要】
【発明が解決しようとする課題】
【０００５】
本発明が解決しようとする課題は、風路体が保持部の位置で本体部から外れた状態での吸込口体部側の落下速度を抑制できる電気掃除機を提供することである。
【課題を解決するための手段】
【０００６】
実施形態の電気掃除機は、電動送風機を備えた本体部を有する。また、この電気掃除機は、風路体を有する。この風路体は、収縮方向に付勢され、電動送風機の吸込側と連通するように本体部に一端側が接続された伸縮自在のホース体を備える。また、この風路体は、ホース体の他端側に連通された吸込口体部を備える。そして、電気掃除機は、風路体の一端側と異なる位置に設けられ、本体部に対して一端側が着脱可能な保持部を有する。
【図面の簡単な説明】
【０００７】
【図１】一実施形態の電気掃除機の保持部の位置での風路体の吸込口体部側の脱落状態を示す側面図である。
【図２】同上電気掃除機の保持部の位置で風路体を本体部から取り外した一の使用状態を示す側面図である。
【図３】同上電気掃除機の保持部の位置で風路体を本体部から取り外した他の使用状態を示す側面図である。
【図４】同上電気掃除機の風路体を保持部により本体部に装着した一の使用状態を示す斜視図である。
【図５】同上電気掃除機の一の使用状態を示す側面図である。
【図６】同上電気掃除機の風路体を保持部により本体部に装着した他の使用状態を示す斜視図である。
【図７】同上電気掃除機の風路体を保持部により本体部に装着したさらに他の使用状態を示す斜視図である。
【図８】同上電気掃除機の風路体を保持部により本体部に装着したさらに他の使用状態を示す斜視図である。
【発明を実施するための形態】
【０００８】
以下、一実施形態の構成を図１ないし図８を参照して説明する。
【０００９】
図１ないし図８において、11は電気掃除機を示し、この電気掃除機11は、図４ないし図８に示すように全体を動かしながらスティッククリーナ(アップライトクリーナ)として使用する形態と、図２および図３に示すように一部を持ち運びながらハンディクリーナとして使用する形態とを任意に選択できるものである。
【００１０】
そして、図１ないし図８に示すように、この電気掃除機11は、本体部12と、この本体部12と接続された風路体13とを備え、この風路体13が、保持部14を介して本体部12に対して保持可能となっているとともに、本体部12に本体用ハンドル15が突設され、風路体13に風路体用ハンドル17が突設されている。なお、以下、上下方向は電気掃除機11を被掃除面上に載置した状態を基準とする。すなわち、図２に示す矢印Ｕ方向が本実施形態の上方向、矢印Ｄ方向が本実施形態の下方向となる。
【００１１】
本体部12は、前後方向に沿って長手方向を有する、すなわち前後方向の寸法が左右幅方向および上下方向のそれぞれの寸法よりも大きい本体ケース18と、この本体ケース18の下部に着脱可能な塵埃収容体としての略有底円筒状の集塵部である集塵カップ19とを備えている。
【００１２】
本体ケース18は、例えば合成樹脂などにより形成されており、前後方向に沿って長手状のケース本体21と、このケース本体21の長手方向の端部である前端部の上部に設けられた保持受部22と、このケース本体21の前端部の下部、すなわち保持受部22の下方に設けられケース本体21から下方に突出する風路体接続部23とを有し、重量物である電動送風機25、この電動送風機25の動作を制御する図示しない本体制御部、および、重量物である電源部としての電池である二次電池27がそれぞれ内部に収容されている。そして、本体ケース18(ケース本体21)の後部に本体用ハンドル15が一体的に設けられており、この本体用ハンドル15によって、本体部12が把持可能となっている。
【００１３】
保持受部22は、集塵カップ19の軸方向に対して一側方である前方に位置して、ケース本体21の前部上側を側方から見てＬ字状に切り欠いて形成されており、後部から前方に向けて前後方向に沿って軸方向を有する略円柱状に接続凸部としての挿入部52が突設されている。そして、この挿入部52の先端部である前端部の上部には、図示しない係合受部が凹設されている。この係合受部は、風路体13を本体部12に対して着脱可能に係止するためのものであり、挿入部52の前部および上部に亘って開口されている。
【００１４】
風路体接続部23は、前後方向および水平方向に沿って軸方向を有する円筒状に形成されており、保持受部22の下方(直下) で、かつ、集塵カップ19の軸方向に対して一側方である前方に位置している。すなわち、これら保持受部22と風路体接続部23とは、本体部12の同側方である前方にそれぞれ位置し、かつ、本体部12(本体ケース18)を前側から見て、上下に並んで位置している。また、この風路体接続部23は、集塵カップ19に対して気密に接続される部分であり、この風路体接続部23内には、風路体13および集塵カップ19と気密に接続するための円筒状の図示しないシール部が配置されている。
【００１５】
電動送風機25は、二次電池27からの給電により駆動することで負圧を発生させて集塵カップ19へと塵埃を吸い込む吸込風を形成するもので、ケース本体21(本体ケース18)の前後方向の略中央部で、かつ、集塵カップ19の軸方向の一端側である上方にこの集塵カップ19の軸方向である上下方向に沿って位置して収容されており、例えば吸込側を上側、排気側を下側としている。そして、この電動送風機25の吸込側は、図示しない風路部を介して集塵カップ19と連通している。なお、この風路部内には、別途のフィルタや集塵装置などを配置してもよい。
【００１６】
本体制御部は、例えばマイコンなどを備えており、電動送風機25を導通角制御して、この電動送風機25を所定の動作モードで動作させたり停止させたりすることが可能となっている。
【００１７】
二次電池27は、電動送風機25、本体制御部、および、風路体13側などへと給電するものであり、図示しない端子を介して外部の充電回路と接続可能で、この充電回路を介して必要に応じて充電可能となっている。そして、この二次電池27は、ケース本体21(本体ケース18)の後端部の位置、すなわち集塵カップ19の軸方向に対して他側方である後方の位置に、上下方向に沿って収容されている。換言すれば、保持受部22および風路体接続部23と二次電池27とは、集塵カップ19を介して本体部12の互いに反対側に位置している。
【００１８】
集塵カップ19は、電動送風機25の駆動により吸い込まれた塵埃を例えば遠心分離して捕集する部分であり、シール部を介して風路体接続部23の下流側に気密に接続される導入部67が前部に突設されている。また、この集塵カップ19は、本体ケース18に対して保持手段としてのクランプ70により着脱可能に係止保持されるようになっている。
【００１９】
一方、風路体13は、風路体接続部23に接続される湾曲体である接続管部81と、この接続管部81の上流側である前側に下流側である後側が連通接続された伸縮可能なホース体82と、このホース体82の上流側である前側が連通接続された吸込口体部83と、この吸込口体部83の上流側である前側に対して着脱可能に連通接続されるアタッチメント部84とを有している。そして、この風路体13は、掃除の形態に応じて、本体部12に対して保持部14により保持された状態と、本体部12から保持部14の位置で取り外された状態とで選択的に使用可能である。
【００２０】
接続管部81は、例えばホース体82よりも硬質の合成樹脂などの部材により軸方向が湾曲して形成されており、本体部12の本体ケース18の風路体接続部23に対して基端部が軸回り方向に回動可能に軸支され、シール部を介してこの風路体接続部23の上流側に気密に接続されている。したがって、この接続管部81は、風路体接続部23(本体部12(本体ケース18))に対して基端部を回動させることにより、先端部が基端部の中心軸を中心とする円弧に沿って回動し、この先端部が上下方向に向かうことが可能となっている。
【００２１】
ホース体82は、接続管部81によって下流端側である一端側すなわち後端側が保持されて本体部12(風路体接続部23(シール部))と気密に接続され、上流端側である他端側すなわち前端側が保持部14によって保持されて吸込口体部83(アタッチメント部84)と気密に接続されている。したがって、このホース体82は、下流端側が接続管部81を介して集塵カップ19と連通するとともに、この集塵カップ19をさらに介して電動送風機25の吸込側と連通しており、下流側が接続管部81を介して風路体接続部23と接続されている。また、このホース体82は、例えばゴムなどの弾性および可撓性を有する合成樹脂などにより蛇腹状に形成されて伸縮自在となっており、収縮方向に向けて付勢されている。すなわち、このホース体82は、自然状態(無負荷状態)で最大に収縮した状態となっている。換言すれば、このホース体82は、外力を加えて両端方向に引っ張った状態(本体部12側に固定されている下流側に対して上流側を引っ張った状態)を維持しているときにのみ伸張するようになっている。また、このホース体82の収縮力は、風路体13および保持部14(吸込口体部83、アタッチメント部84(延長管91)および保持部14)の重量に抗するように設定されている。すなわち、このホース体82は、風路体13および保持部14(吸込口体部83、アタッチメント部84(延長管91)および保持部14)の重量に対して伸張しない、または所定量のみ伸張し、最大に伸張した状態とならない(伸び切らない)ように収縮力が設定されている。なお、このホース体82は、最大に収縮した状態で例えば１５０ｍｍ程度の長さとなっており、最大に伸張した状態では２００〜４００ｍｍ程度の長さとなっている。
【００２２】
吸込口体部83は、ホース体82の上流端部である前端部に設けられている。この吸込口体部83は、ホース体82と連通する円筒状の吸込口体部本体86と、この吸込口体部本体86の上流端部である前端部に回動可能に配置された清掃部としてのブラシ部87と、この吸込口体部83に対してアタッチメント部84を着脱可能に係止保持する保持クランプ89とを備えている。
【００２３】
吸込口体部本体86は、ホース体82よりも硬質の部材である合成樹脂などにより直管状に形成されており、下流端部である後端部が保持部14と一体的に設けられている。
【００２４】
ブラシ部87は、前端部に清掃部材であるブラシ毛87aを複数備えた環状に形成されており、内縁の両側が吸込口体部本体86の上流端部である前端部の両側部に回動可能に軸支されて、この吸込口体部本体86の軸方向と交差する上下方向に回動可能となっている。
【００２５】
保持クランプ89は、吸込口体部本体86の上部に一部が露出して操作可能となっている。
【００２６】
アタッチメント部84は、掃除の形態に応じて吸込口体部83に対して適宜着脱されるものであり、例えば直管長尺状の延長管91と、この延長管91の上流端である前端に着脱可能な吸込口体としての床ブラシ92とを備えている。
【００２７】
延長管91は、下流端部である後端部に接続口部96を備え、上流端部である前端部に吸込口部97を備えている。接続口部96は、アタッチメント部84(延長管91)を吸込口体部83に接続する際に吸込口体部83の前端部に挿入される部分である。また、吸込口部97は、吸込口体部83と略等しい形状に構成されている。すなわち、この吸込口部97は、円筒状の吸込口部本体101と、この吸込口部本体101の上流端部である前端部に回動可能に配置された清掃体部としてのブラシ毛部102と、この吸込口部97に対して床ブラシ92を着脱可能に係止保持するクランプ部104とを備えている。
【００２８】
ブラシ毛部102は、前端部に延長管用清掃部材であるブラシ毛102aを複数備えた環状に形成されており、内縁の両側が吸込口部本体101の上流端部である前端部の両側部に回動可能に軸支されて、この吸込口部本体101の軸方向と交差する上下方向に回動可能となっている。
【００２９】
クランプ部104は、吸込口部本体101の上部に一部が露出して操作可能となっている。
【００３０】
床ブラシ92は、左右幅方向に沿って長手状、すなわち横長のケース体106と、このケース体106の後部に回転可能に接続された回転管107とを備えている。
【００３１】
ケース体106には、被掃除面に対向する下面に図示しない吸込口が開口されている。なお、この吸込口には、回転清掃体としての回転ブラシを配置してもよい。
【００３２】
回転管107は、ケース体106に対して少なくとも軸回り方向に回動可能に軸支されており、吸込口と連通している。なお、この回転管107の後端側(下流端側)は、延長管91の下流端側と略等しい径寸法を有しており、吸込口部97と同様に吸込口体部83に対しても着脱可能となっている。
【００３３】
保持部14は、風路体13の下流端側である接続管部81と異なる位置、本実施形態ではホース体82の上流側の吸込口体部83を本体部12(保持受部22)に対して着脱可能とするものであり、吸込口体部83の吸込口体部本体86の後端部に一体的に設けられた円筒状の保持部本体115と、この保持部本体115と一体的に設けられてホース体82に対して並列に分岐して突出する風路体用ハンドル17と、この風路体用ハンドル17の後端部に位置する連結部117と、風路体用ハンドル17に設けられた係止手段としてのクランプ体118とにより構成されている。すなわち、風路体用ハンドル17は、保持部14の一部を構成している。換言すれば、保持部14は、風路体用ハンドル17を兼ねており、風路体13の下流側であるホース体82および接続管部81と異なる位置、本実施形態では、これらホース体82および接続管部81よりも上流側の吸込口体部83と前端側が一体的に設けられている。そして、この保持部14により、風路体13が本体部12に対して、ホース体82(ホース体82の下流側である接続管部81)よりも上方の位置で着脱可能となっている。
【００３４】
保持部本体115は、ホース体82の上流端側である前端側を回転可能に保持することで保持部14により風路体13を本体部12に装着した状態でのホース体82の捩れを解消する部分であり、このホース体82よりも硬質の合成樹脂などの部材により直管状に形成されている。
【００３５】
風路体用ハンドル17は、本体部12から保持部14の位置で取り外した風路体13を把持するためのもので、ホース体82よりも硬質の合成樹脂などの部材により形成され、保持部本体115の軸方向の側方である上方に分岐するとともに、この保持部本体115よりも後方へと突出して前後方向に沿って長手状に延びている。すなわち、この風路体用ハンドル17は、風路体13に対してＬ字状に屈曲して突設されている。したがって、吸込口体部83(アタッチメント部84)とホース体82とは、互いに略一直線状に接続されている。
【００３６】
連結部117は、風路体用ハンドル17の後端部に連続し(保持部14の一端側である後端側に位置し)本体部12の保持受部22に嵌合する部分であり、円筒状の接続凹部122を内方に備えている。この接続凹部122は、保持部14によって風路体13を本体部12に装着する際に挿入部52が内部に挿入されて嵌合される部分であり、後部が開口されている。
【００３７】
クランプ体118は、風路体用ハンドル17の前側の上部に一部が露出して操作可能となっており、接続凹部122の内部に、係合受部に挿入係止される図示しない爪部が露出している。
【００３８】
本体用ハンドル15は、本体部12の後部との間で本体部12の長手方向と交差(直交)する左右方向に開口するように上下方向にループ状に形成されている。すなわち、この本体用ハンドル15は上下方向に沿って形成され、集塵カップ19の軸方向に対して他側方である後方に位置している。そして、この本体用ハンドル15の上部には、この本体用ハンドル15を把持した手で使用者が電動送風機25の動作などを設定するための設定ボタン135が互いに前後方向に沿って離間されて複数配置されている。
【００３９】
次に、上記一実施形態の動作を説明する。
【００４０】
電気掃除機11は、例えば、室内の床面などの被掃除面の比較的広い面積を掃除する場合には、図４および図５に示すように、保持部14により風路体13を本体部12に対して保持受部22の位置で装着し、本体用ハンドル15(被把持部132)を把持して全体を動かしながら掃除をする。
【００４１】
このとき、集塵カップ19はクランプ70によって予め本体ケース18に取り付けておく。
【００４２】
また、風路体13は、吸込口体部83の上流端部である前端部に延長管91の接続口部96を挿入接続するとともに、延長管91の吸込口部97の上流端部である前端部に対して床ブラシ92の回転管107を挿入接続する。このとき、保持クランプ89の作用により延長管91が吸込口体部83に気密に接続された状態で係止保持されるとともに、クランプ部104の作用により床ブラシ92が延長管91に気密に接続された状態で係止保持される。
【００４３】
さらに、保持部14においては、図２に示す風路体用ハンドル17の後端部の連結部117を本体部12の保持受部22に対して位置合わせしつつ前方から挿入嵌合することで、挿入部52が接続凹部122に相対的に挿入され、クランプ体118の爪部が係合受部に対して挿入係止されることで、保持部14の位置で風路体13が本体部12に保持される。この状態で、図４および図５に示すように、保持部14の一部をなす風路体用ハンドル17が前後方向に沿って位置し、この風路体用ハンドル17と一体的に設けられた吸込口体部83が前後方向に沿って直管状に位置することにより、風路体13は、床ブラシ92、延長管91(アタッチメント部84)、吸込口体部83および保持部本体115、すなわちホース体82の上流端側が略一直線上に位置する。したがって、保持部14よりも下方の風路体接続部23にて本体部12に対して接続されたホース体82の下流端側である接続管部81は上流端部である前端部が上方を向いた状態となる。この結果、保持部14により、ホース体82が上流側から下流側へと、上側から下側に緩やかに屈曲した状態に保形され、風路体13が集塵カップ19へと、上下左右に急峻に屈曲することなく基本的に前後方向に沿って略直線状に連通する。このため、風路体13内での圧力損失が少なく、空気および塵埃が内部を通りやすくなる。すなわち、風路体13は、保持部14の位置と、ホース体82の下流端側である接続管部81の位置とで、換言すれば上下に並んだ位置でそれぞれ本体部12に対して機械的に接続され、ホース体82の下流端側である接続管部81の位置で風路として本体部12側と連通している。
【００４４】
そして、使用者は、本体用ハンドル15を把持しつつ設定ボタン135を操作することで、本体制御部を介して所望の動作モードで電動送風機25を駆動させる。この電動送風機25の駆動により生じた負圧は、集塵カップ19、風路体接続部23(シール部)、接続管部81、ホース体82、吸込口体部83およびアタッチメント部84を介して床ブラシ92の吸込口に作用するので、使用者は、被掃除面上に載置した床ブラシ92を電気掃除機11全体とともに被掃除面上で前後に交互に走行させながら被掃除面の電動送風機25の負圧の作用によって吸込口から空気とともに塵埃を吸い込む。また、使用者は、必要に応じて、床ブラシ92の回転ブラシを回転駆動させることで、被掃除面の塵埃を掻き取ったり、被掃除面を磨いたりするなどの掃除補助を行う。
【００４５】
このとき、塵埃とともに吸い込まれた空気、すなわち含塵空気は、床ブラシ92、延長管91、吸込口体部83、ホース体82(保持部本体115)と直進し、このホース体82の内面に沿って緩やかに屈曲しながら、ホース体82の下流端(接続管部81)から風路体接続部23(シール部)および導入部67を介して集塵カップ19へと吸い込まれる。
【００４６】
また、例えば家具と壁部との間など、床ブラシ92を挿入することができない狭い隙間を掃除するなどの必要に応じて、床ブラシ92を延長管91から取り外して用いることも可能である(図６)。この場合には、保持クランプ89を操作することで床ブラシ92の係止を解除して延長管91から取り外す。そして、使用者は、延長管91の前端部の吸込口部97のブラシ毛部102などを用いながら、この吸込口部97から同様に空気とともに塵埃を吸い込んで被掃除面を掃除する。
【００４７】
一方、例えば、テーブルの上や被掃除面の比較的狭い面積などを掃除する場合には、図４ないし図６に示す状態から、図７に示すように、風路体13においてアタッチメント部84(延長管91および床ブラシ92)を取り外して、本体用ハンドル15(被把持部132の上部寄りの位置)を把持して全体を動かしながら掃除をする。
【００４８】
このとき、アタッチメント部84(延長管91)は、保持クランプ89を操作することで吸込口体部83から取り外される。そして、使用者は、本体用ハンドル15を把持して電気掃除機11全体を持ち運びながら、吸込口体部83のブラシ部87などを用いて、この吸込口体部83から空気とともに塵埃を吸い込んで掃除をする。
【００４９】
また、このとき、被掃除面の種類などの必要に応じて、床ブラシ92のみを吸込口体部83に取り付けて用いることも可能である(図８)。この場合には、床ブラシ92の回転管107を吸込口体部83に上流側から挿入することで、保持クランプ89の作用によって床ブラシ92が吸込口体部83に対して気密に接続された状態で保持される。そして、使用者は、被掃除面上に載置した床ブラシ92を電気掃除機11全体とともに被掃除面上で前後に交互に走行させながら被掃除面の電動送風機25の負圧の作用によって吸込口から空気とともに塵埃を吸い込む。また、使用者は、必要に応じて、床ブラシ92の回転ブラシを回転駆動させることで、被掃除面の塵埃を掻き取ったり、被掃除面を磨いたりするなどの掃除補助を行う。
【００５０】
さらに、例えば、天井などの相対的に高い位置を掃除する場合には、図６に示す状態から、図２に示すように、保持部14により風路体13を本体部12から取り外し、風路体用ハンドル17を把持して本体部12を持ち運びつつ、この本体部12に対して風路体13のホース体82を伸張(伸縮)させながら、延長管91の前端部の吸込口部97により掃除をする。
【００５１】
また、例えば、テレビなどの設置物の裏、車両のシート、あるいは階段など、使用者の手元に近い位置を掃除する場合には、図３に示すように、図２に示す状態からさらに延長管91を取り外し、風路体用ハンドル17を把持して本体部12を持ち運びつつ、本体部12に対して風路体13のホース体82を伸張(伸縮)させながら、吸込口体部83により掃除をする。
【００５２】
これらの図２または図３に示す掃除形態の場合には、クランプ体118を操作することで、このクランプ体118の爪部を保持受部22の係合受部から抜き取った状態で風路体13を本体部12に対して前方へと移動させることにより、保持部14において、風路体用ハンドル17の後端部の連結部117が本体部12の保持受部22から離間され、挿入部52が接続凹部122から抜き取られる。
【００５３】
そして、一方の手で本体用ハンドル15の被把持部132の上端部近傍を把持して本体部12を持ち上げつつ、他方の手で風路体用ハンドル17を把持して、基本的にはホース体82を伸縮させて風路体13のみを動かしながら、吸込口部97のブラシ毛部102、あるいは吸込口体部83のブラシ部87などを用いて、空気とともに塵埃を吸い込んで掃除をする。
【００５４】
このとき、例えば使用者が誤って風路体用ハンドル17を握り損なって風路体13を取り落としてしまった場合や風路体13が本体部12に対して保持部14により確実に取り付けられておらずに風路体13が本体部12から外れた場合には、ホース体82が収縮方向に付勢され、かつ、その収縮力が風路体13および保持部14(吸込口体部83、アタッチメント部84(延長管91)および保持部14)の重量に抗するように設定されていることにより、図１に示すように、(吸込口体部83、アタッチメント部84(延長管91)および保持部14)の重量によってホース体82が伸び切らず、吸込口体部83側、すなわち風路体13の上流側(吸込口体部83、アタッチメント部84(延長管91)および保持部14)の落下速度がホース体82の収縮力によって抑制されて被掃除面に強く当たることがなく、または、吸込口体部83側が被掃除面まで落下することなく保持される。また、接続管部81が風路体13(ホース体82、吸込口体部83およびアタッチメント部84(延長管91))および保持部14の重量により回動することで、この接続管部81の先端部が下方に向かう状態となり、この接続管部81の先端部の位置でホース体82の下流端側が下方へと急峻に屈曲する(折れ曲がる)ことを防止する。なお、図１においては、図２に示す掃除形態の場合を示しているが、図３に示す掃除形態の場合も同様である。
【００５５】
また、ホース体82の伸張のみで充分に届く範囲を掃除する場合には、本体部12は本体用ハンドル15を把持して持ち上げることなく、被掃除面上に載置した状態などとしてもよい。
【００５６】
そして、集塵カップ19に吸い込まれた含塵空気は、この集塵カップ19において、例えば遠心分離などによって塵埃が分離されて捕集される。
【００５７】
塵埃が分離された空気は、集塵カップ19を通過した後、電動送風機25へと吸い込まれる。そして、この電動送風機25に吸い込まれた空気は、この電動送風機25を冷却しつつ通過して排気風となり、図示しない排気孔から本体部12の外部へと排出される。
【００５８】
掃除が終了すると、使用者は設定ボタン135を操作して電動送風機25を停止させる。
【００５９】
また、塵埃を廃棄する際には、クランプ70を操作して集塵カップ19を本体ケース18から取り外し、ごみ箱などの上で集塵カップ19を上下逆さにして内部の塵埃を排出する。
【００６０】
以上説明した一実施形態によれば、風路体13の収縮方向に付勢された伸縮自在のホース体82の下流端側を本体部12に対して接続するとともに、風路体13の下流端側と異なる位置に設けた保持部14の後端側を本体部12に対して着脱可能とすることで、この保持部14の位置で風路体13が本体部12から外れた状態で風路体13を誤って取り落とした場合などに、ホース体82の収縮力によってこのホース体82の上流端側の吸込口体部83側(アタッチメント部84(延長管91)および保持部14を含む)の落下速度を抑制できる。したがって、吸込口体部83側(アタッチメント部84(延長管91)および保持部14を含む)が被掃除面などに強く当たることがない。
【００６１】
このため、例えば図４ないし図６に示す掃除形態、あるいは、図７および図７に示す掃除形態などで使用している場合、仮に保持部14の本体部12に対する接続が不充分であったときに、電気掃除機11を持ち上げた際などに風路体13が保持部14の位置で本体部12から脱落しても、吸込口体部83側(アタッチメント部84(延長管91)および保持部14を含む)が落下する速度をホース体82によって抑制できる。
【００６２】
また、保持部14が風路体13のホース体82の上流端側、本実施形態では吸込口体部83の後端側の位置を本体部12に対して着脱可能としているため、ホース体82は、下流端側が本体部12に常時接続され、上流端側が保持部14によって本体部12に着脱可能に装着されることとなる。したがって、ホース体82は、保持部14によって風路体13を本体部12に装着している状態で保形され、吸込口体部83側(アタッチメント部84を含む)の重量が加わったり伸縮したりすることがない。
【００６３】
さらに、風路体13を、軸方向が湾曲して形成された接続管部81を介して本体部12に回動可能に軸支しているため、ホース体82の下流端側よりも上方の位置で本体部12に対して保持部14により着脱可能な風路体13が保持部14の位置で本体部12から外れた状態で吸込口体部83側(アタッチメント部84(延長管91)および保持部14を含む)が落下しようとすると、その重量によって接続管部81が下方へと回動し、ホース体82の下流端側が屈曲した状態で伸張してしまうことを防止する。したがって、ホース体82の屈曲によるダメージを抑制でき、ホース体82を確実に保護できる。
【００６４】
なお、上記一実施形態において、保持部14による風路体13と本体部12との装着構造は、任意に設定できる。
【００６５】
また、アタッチメント部84としては、延長管91、床ブラシ92だけでなく、種々のものを用いることができる。
【００６６】
本発明の一実施形態を説明したが、この実施形態は、例として提示したものであり、発明の範囲を限定することは意図していない。この新規な実施形態は、その他の様々な形態で実施されることが可能であり、発明の要旨を逸脱しない範囲で、種々の省略、置き換え、変更を行うことができる。この実施形態やその変形は、発明の範囲や要旨に含まれるとともに、特許請求の範囲に記載された発明とその均等の範囲に含まれる。
【符号の説明】
【００６７】
11    電気掃除機
12    本体部
13    風路体
14    保持部
25    電動送風機
81    湾曲体である接続管部
82    ホース体
83    吸込口体部
【図１】
2015051169.tif 000003
【図２】
2015051169.tif 000004
【図３】
2015051169.tif 000005
【図４】
2015051169.tif 000006
【図５】
2015051169.tif 000007
【図６】
2015051169.tif 000008
【図７】
2015051169.tif 000009
【図８】
2015051169.tif 000010